(57)【要約】【課題】  基板に対する針体の取り付けを容易にして作業性の向上を図るとともに、折曲部が基板の裏面に張り出さないようにして、基板の裏面を被取付物に対して密着しやすいようにし、しかも、折曲部の固定を強固にして針体の安定を図る。【解決手段】  所定長さの弾性金属製線材Ｗの途中を折曲して一対の針２を形成してなる針体１と、針体１の折曲部３側の基端部４が固定され表面側に針体１の針２を突出させる基板１０とを備え、針体１の基端部３を折曲形成して舌片状の舌片部５として構成するとともに、基板１０に針体１の一対の針２が集合させられて挿通される挿通孔１１を形成し、挿通孔１１の周囲を膨出させた膨出部１３を形成し、挿通孔１１に針体１を挿通し、その舌片部５を膨出部１３の凹所１２に収容した状態で接着剤１４で止着した。【選択図】  図１
2011024516.tif 000002
【特許請求の範囲】
【請求項１】
所定長さの弾性金属製線材の途中を折曲して一対の針を形成してなる針体と、該針体の折曲部側の基端部が固定され表面側に該針体の針を突出させる基板とを備えた鳥類忌避具において、
上記針体の基端部を該針体の長手方向に略直交させて折曲形成して舌片状の舌片部として構成するとともに、上記基板に上記針体の一対の針が集合させられて挿通される挿通孔を形成し、該挿通孔の周囲を該基板の表面側に膨出させて該基板の裏面側に上記針体の舌片部を収容する大きさの凹所を有した膨出部を形成し、上記挿通孔に上記針体を挿通し該針体の舌片部を上記膨出部の凹所に収容した状態で該舌片部を該膨出部の裏面に接着剤で止着したことを特徴とする鳥類忌避具。
【請求項２】
上記基板に、上記挿通孔を有した膨出部を複数設け、該各膨出部の挿通孔に夫々針体を挿通して設けたことを特徴とする請求項１記載の鳥類忌避具。
【請求項３】
上記針体を、１つの挿通孔に、複数挿通し、各針体の針を該挿通孔から放射状に突出させたことを特徴とする請求項１または２記載の鳥類忌避具。
【請求項４】
上記基板に、該基板を設置するための取付け手段を備えたことを特徴とする請求項１乃至３何れかに記載の鳥類忌避具。
【請求項５】
上記取付け手段を、上記基板の裏面に貼付される両面粘着テープで構成したことを特徴とする請求項４記載の鳥類忌避具。
【請求項６】
上記基板の表面側に突出する針に着脱自在に挿通され挿通時に該針を束ねて収束させて被覆する筒状の集束体を備えたことを特徴とする請求項１乃至５何れかに記載の鳥類忌避具。
【請求項７】
所定長さの弾性金属製線材の途中を折曲して一対の針を形成してなる針体と、該針体の折曲部側の基端部が固定され表面側に該針体の針を突出させる基板とを備えた鳥類忌避具の製造方法において、
予め、上記針体の基端部を該針体の長手方向に略直交させて折曲形成して舌片状の舌片部として構成する一方、上記基板に上記針体の一対の針が集合させられて挿通される挿通孔を形成するとともに、該挿通孔の周囲を該基板の表面側に膨出させて該基板の裏面側に上記針体の舌片部を収容する大きさの凹所を有した膨出部を形成しておき、次に、上記基板の裏側から上記挿通孔に上記針体をその先端側から挿通して該針体の舌片部を上記膨出部の凹所内に収容し、その後、該舌片部を上記膨出部の裏面に接着剤で止着することを特徴とする鳥類忌避具の製造方法。
【発明の詳細な説明】
【技術分野】
【０００１】
本発明は、建物等に取付けられ鳩やカラス等の鳥類が飛来して止まったり侵入して営巣することを防止する鳥類忌避具及び鳥類忌避具の製造方法に関する。
【背景技術】
【０００２】
従来、この種の鳥類忌避具としては、例えば、特開昭６０−２４１４２号公報に掲載されたものが知られている。
この鳥類忌避具は、図８に示すように、所定長さの弾性金属製線材Ｗの途中を折曲して一対の針１０１を形成してなる針体１００と、この針体１００の折曲部１０２側の基端部１０３が固定され表面側に針体１００の針１０１を突出させる基板１０４とを備えて構成されている。針体１００は、基板１０４上に複数（図では２つ）設けられている。基板１０４は、表層１０５と基層１０６との二重構造になっており、表層１０５の針体１００が設けられる部位には、針体１００の針１０１に対応した一対の挿通孔１０７が開設されており、針体１００の針１０１は、表層１０５の裏面側から対応する挿通孔１０７に夫々挿通され、針体１００の折曲部１０２を表層の裏面側に位置せしめる。その後、針体１００の折曲部１０２を覆って表層１０５の裏面に基層１０６を付設している。
そして、この鳥類忌避具Ｋａを用いるときは、基板１０４を両面粘着テープ（図示せず）などを用いて建物等の被取付物に取付け、鳩やカラス等の鳥類が飛来して針１０１に接触した際、その弾性力による不規則な動きや針先による刺激により、鳥類が飛来して止まったり侵入して営巣することを防止するようにしている。
【０００３】
また、従来においては、上記の基板１０４に相応する素材を、スポンジや粘土等の素材で形成し、この素材に線材Ｗを差し込んで貫通させて素材内に線材Ｗの途中を埋設し、表側に突出した線材を折り曲げて立ち上げ、針を表側に突出するようにしたものもある（例えば、特開２００４−１６６５６３号公報等参照）。
【先行技術文献】
【特許文献】
【０００４】
【特許文献１】特開昭６０−２４１４２号公報
【特許文献２】特開２００４−１６６５６３号公報
【発明の概要】
【発明が解決しようとする課題】
【０００５】
しかしながら、上記前者の従来の鳥類忌避具Ｋａにおいては、製造の際に、針体１００の一対の針１０１が表層１０５の裏面側から対応する一対の挿通孔１０７に夫々挿通されて固定されるので、挿通孔１０７に針１０１を通す作業が煩雑になっており、作業効率が悪いという欠点がある。また、針体１００の折曲部１０２が、表層１０５の裏面に露出するので、その裏面に基層１０６を設けるようにしても、どうしても折曲部１０２の部分が張り出し易くなり、基層１０６の裏面が凸凹になり易く、そのため、建物等の被取付物に対する密着性に劣ってしまうという問題もある。
【０００６】
一方、後者の従来の鳥類忌避具においては、前者の鳥類忌避具Ｋａに比較して、針体の折曲部は基板に相応する素材に埋設されるので裏面に張り出すことはないが、素材がスポンジや粘土等で形成されているので、線材を差し込んで貫通させる際に、素材からの抵抗を受けることから、それだけ、貫通作業が煩雑になっており、作業効率が悪いという欠点がある。また、線材をスポンジや粘土等の素材に貫通させているだけなので、線材がその軸線を軸に回転し易く、固定が必ずしも強固になっていないという問題もある。
【０００７】
本発明は上記の問題点に鑑みて為されたもので、基板に対する針体の取り付けを容易にして作業性の向上を図るとともに、折曲部が基板の裏面に張り出さないようにして、基板の裏面を被取付物に対して密着しやすいようにし、しかも、折曲部の固定を強固にして針体の安定を図った鳥類忌避具及び鳥類忌避具の製造方法を提供することを目的とする。
【課題を解決するための手段】
【０００８】
このような目的を達成するための本発明の鳥類忌避具は、所定長さの弾性金属製線材の途中を折曲して一対の針を形成してなる針体と、該針体の折曲部側の基端部が固定され表面側に該針体の針を突出させる基板とを備えた鳥類忌避具において、
上記針体の基端部を該針体の長手方向に略直交させて折曲形成して舌片状の舌片部として構成するとともに、上記基板に上記針体の一対の針が集合させられて挿通される挿通孔を形成し、該挿通孔の周囲を該基板の表面側に膨出させて該基板の裏面側に上記針体の舌片部を収容する大きさの凹所を有した膨出部を形成し、上記挿通孔に上記針体を挿通し該針体の舌片部を上記膨出部の凹所に収容した状態で該舌片部を該膨出部の裏面に接着剤で止着した構成としている。
【０００９】
これにより、この鳥類忌避具を製造するときは、例えば、予め、所定長さの弾性金属製線材の途中を折曲して一対の針を形成してなる針体を形成し、この一対の針を有する針体の基端部を針体の長手方向に略直交させて折曲形成して舌片状の舌片部として構成する一方、基板には挿通孔及び膨出部を形成しておく。そして、基板の裏側から挿通孔に針体をその先端側から一対の針を集合させて挿通し、針体の舌片部を膨出部の凹所内に収容し、その後、舌片部を膨出部の裏面に接着剤で止着する。この場合、挿通孔に針体をその先端側から一対の針を集合させて挿通するだけで、一時に針体を基板に装着することができ従来に比較して作業が極めて簡単になり作業性が向上させられる。また、舌片部を膨出部の裏面に接着剤で止着するだけで針体を基板に固定できるので、この点でも作業が極めて簡単になり作業性が向上させられる。また、針体の舌片部は舌片状になっているので、膨出部の裏面に対する接合面積が大きくなっており、それだけ、接着剤により強固に固定されることになる。
尚、針体の舌片部は、針体を基板の挿通孔に挿通した後に折曲形成しても良い。しかしながら、予め舌片部を折曲形成しておいた方が折曲作業が容易になるのでより望ましい。
【００１０】
このようにして製造された鳥類忌避具を建物等の被取付物の所要箇所に設置するときは、基板の裏面を被取付物に接合するとともに、両面粘着テープ，接着剤，ビス等の種々の取付け手段により取り付ける。この場合、針体の舌片部は膨出部の凹部に接着剤とともに収容されているので、基板の裏面から張り出すことがなく、そのため、基板の裏面が建物等の被取付物に対して良く密着し、その結果、設置を確実にして安定を図ることができる。また、針体の舌片部は舌片状になっているので、膨出部の裏面に対する接合面積が大きくなっており、それだけ、接着剤により強固に固定されることになることから、この点でも、安定を図ることができる。
そして、この鳥類忌避具を取り付けた状態で、鳩やカラス等の鳥類が飛来して針に接触すると、針体がその弾性力により不規則な動きをし、あるいはまた、針先による刺激を与えることから、鳥類が飛来して止まったり侵入して営巣することが防止される。この場合、基板が被取付物に強固に取り付けられ、針体も基板に強固に取り付けられているので、鳥類の接触によって容易に離脱したり破損する事態が確実に防止され、安定が図られる。
【００１１】
そして、必要に応じ、上記基板に、上記挿通孔を有した膨出部を所定間隔で複数設け、該各膨出部の挿通孔に夫々針体を挿通して設けた構成としている。基板に複数の針体が、所定間隔で突出することから、忌避機能が向上させられるとともに、被取付物の形状や大きさに応じて設置を容易に行うことができる。
【００１２】
また、必要に応じ、上記針体を、１つの挿通孔に、複数挿通し、各針体の針を該挿通孔から放射状に突出させた構成としている。１つの挿通孔に、例えば、４本，６本，８本（それ以上でも良い）と偶数で複数の針が突出することになり、しかも、各針が放射状に突出するので、それだけ、鳥類の忌避機能が向上させられる。
【００１３】
更に、必要に応じ、上記基板に、該基板を設置するための取付け手段を備えた構成としている。予め、基板に取付け手段が備えられているので、取り付けが容易に行われる。
この場合、上記取付け手段を、上記基板の裏面に貼付される両面粘着テープで構成したことが有効である。貼付により被取付物に取り付けることができるので、設置が容易であり、汎用性が向上させられる。
【００１４】
更にまた、必要に応じ、上記基板の表面側に突出する針に着脱自在に挿通され挿通時に該針を束ねて収束させて被覆する筒状の集束体を備えた構成としている。これにより、本鳥類忌避具を被取付物に取り付ける前の流通段階や保管の際においては、集束体を針に挿通して被覆しておく。そのため、針が折れ曲がったり破損したりしにくくなり、取り扱いが容易になる。被取付物に設置して使用する際には、集束体を取り外せばよい。
【００１５】
また、上記目的を達成するため、本発明の鳥類忌避具の製造方法は、所定長さの弾性金属製線材の途中を折曲して一対の針を形成してなる針体と、該針体の折曲部側の基端部が固定され表面側に該針体の針を突出させる基板とを備えた鳥類忌避具の製造方法において、
予め、上記針体の基端部を該針体の長手方向に略直交させて折曲形成して舌片状の舌片部として構成する一方、上記基板に上記針体の一対の針が集合させられて挿通される挿通孔を形成するとともに、該挿通孔の周囲を該基板の表面側に膨出させて該基板の裏面側に上記針体の舌片部を収容する大きさの凹所を有した膨出部を形成しておき、次に、上記基板の裏側から上記挿通孔に上記針体をその先端側から挿通して該針体の舌片部を上記膨出部の凹所内に収容し、その後、該舌片部を上記膨出部の裏面に接着剤で止着する構成としている。
【００１６】
これにより、鳥類忌避具を製造するときは、予め、所定長さの弾性金属製線材の途中を折曲して一対の針を形成してなる針体を形成し、この一対の針を有する針体の基端部を針体の長手方向に略直交させて折曲して舌片状の舌片部を形成する一方、基板には挿通孔及び膨出部を形成しておく。そして、基板の裏側から挿通孔に針体をその先端側から一対の針を集合させて挿通し、針体の舌片部を膨出部の凹所内に収容し、その後、舌片部を膨出部の裏面に接着剤で止着する。この場合、挿通孔に針体をその先端側から一対の針を集合させて挿通するだけで、一時に針体を基板に装着することができ従来に比較して作業が極めて簡単になり作業性が向上させられる。また、舌片部を膨出部の裏面に接着剤で止着するだけで針体を基板に固定できるので、この点でも作業が極めて簡単になり作業性が向上させられる。また、針体の舌片部は舌片状になっているので、膨出部の裏面に対する接合面積が大きくなっており、それだけ、接着剤により強固に固定されることになる。
【発明の効果】
【００１７】
本発明によれば、製造の際には、基板の裏側から挿通孔に針体をその先端側から一対の針を集合させて挿通し、針体の舌片部を膨出部の凹所内に収容し、その後、舌片部を膨出部の裏面に接着剤で止着するが、挿通孔に針体をその先端側から一対の針を集合させて挿通するだけで、一時に針体を基板に装着することができるので、従来に比較して作業が極めて簡単になり作業性を大幅に向上させることができる。また、舌片部を膨出部の裏面に接着剤で止着するだけで針体を基板に固定できるので、この点でも作業が極めて簡単になり作業性を向上させることができる。
【００１８】
また、本鳥類忌避具を建物等の被取付物の所要箇所に設置した状態では、針体の舌片部は膨出部の凹部に接着剤とともに収容されているので、基板の裏面から張り出すことがなく、そのため、基板の裏面が建物等の被取付物に対して良く密着し、その結果、設置を確実にして安定を図ることができる。また、針体の舌片部は舌片状になっているので、膨出部の裏面に対する接合面積が大きくなっており、それだけ、接着剤により強固に固定されることになることから、この点でも、安定を図ることができる。
【図面の簡単な説明】
【００１９】
【図１】本発明の実施の形態に係る鳥類忌避具を被取付物に取り付けた状態で示す斜視図である。
【図２】本発明の実施の形態に係る鳥類忌避具を示す図であり、（ａ）は正面断面図、（ｂ）は裏面側から見た部分切欠き底面図である。
【図３】本発明の実施の形態に係る鳥類忌避具の製造過程を示す図であり、（ａ）は針体の製造過程を示す図、（ｂ）は基板の製造過程を示す断面図である。
【図４】本発明の実施の形態に係る鳥類忌避具の製造工程を示す工程図である。
【図５】本発明の実施の形態に係る鳥類忌避具の完成した状態を示す斜視図である。
【図６】本発明の実施の形態に係る鳥類忌避具を取り付けるときの状態を示す斜視図である。
【図７】本発明の実施の形態に係る鳥類忌避具の変形例を示す斜視図である。
【図８】従来の鳥類忌避具の一例を示す断面図である。
【発明を実施するための形態】
【００２０】
以下、添付図面に基づいて、本発明の実施の形態に係る鳥類忌避具及び鳥類忌避具の製造方法について詳細に説明する。
図１乃至図６に示すように、本発明の実施の形態に係る鳥類忌避具Ｋの基本的構成は、針体１と、基板１０とからなる。
【００２１】
針体１は、所定長さの弾性金属製線材Ｗの途中を折曲して一対の針２を形成してなる。弾性金属製線材Ｗとしては、例えば、ステンレス線、ピアノ線等適宜の材質のもので、線径が例えば、０．３〜２ｍｍ程度（実施の形態では０．５ｍｍ）のものが用いられる。１本の針２の長さは、例えば、２０ｍｍ〜２００ｍｍ程度に設定される。実施の形態では２００ｍｍの線材Ｗを中央で折曲して針２が１００ｍｍになるように設定している。
また、図２及び図３（ａ）に示すように、針体１の折曲部３側の基端部４は、針体１の長手方向に略直交させて折曲形成されて、舌片状の舌片部５として構成されている。
【００２２】
基板１０は、針体１の折曲部３側の基端部４が固定され表面側に針体１の針２を突出させるもので、例えばステンレスや鋼板等の金属板、あるいは樹脂板等で構成されている。実施の形態では、ポリエチレンの樹脂板で構成されている。また、基板１０には、図２及び図３（ｂ）に示すように、針体１の一対の針２が集合させられて挿通される挿通孔１１が形成されているとともに、挿通孔１１の周囲を基板１０の表面側に膨出させて基板１０の裏面側に針体１の舌片部５を収容する大きさの凹所１２を有した膨出部１３がプレス加工などにより形成されている。
【００２３】
実施の形態では、基板１０は、長方形状に形成されており、挿通孔１１及び膨出部１３は、長手方向に沿って等間隔、例えば、８０ｍｍ〜１５０ｍｍの間隔で、複数（実施の形態では３つ）設けられている。挿通孔１１の内径は、複数の針２が挿通される大きさ、実施の形態では６本の針２が挿通される大きさに形成されている。
【００２４】
各膨出部１３の挿通孔１１には、夫々、針体１の針２が挿通され、針体１の舌片部５が膨出部１３の凹所１２に収容されている。針体１は、１つの挿通孔１１に、複数挿通され、各針体１の針２は、挿通孔１１から放射状に突出させられている。実施の形態では、各膨出部１３の挿通孔１１には、夫々、３つの針体１の針２（合計６本）が挿通されている。
そして、挿通孔１１に針体１を挿通し針体１の舌片部５を膨出部１３の凹所１２に収容した状態で、舌片部５は、膨出部１３の裏面に瞬間接着剤などの接着剤１４で止着されている。
【００２５】
また、実施の形態においては、基板１０に、基板１０を設置するための取付け手段が備えられている。この取付け手段は、基板１０の裏面に貼付される両面粘着テープ２０で構成されている。即ち、両面粘着テープ２０の一方面２１は基板１０の裏面に貼付され、他方面２２は建物等の被取付物Ｃ（図１）に貼付される。図中、符号２３は両面粘着テープ２０の他方面２２に仮着され、使用時に剥離される帯状シートである。
更にまた、取付け手段として、ビス２５も併用できるようにしている。基板１０には予めビス２５が挿通される取付孔２６（実施例では２個所）が形成されている。
【００２６】
更に、図４（ｅ），図５及び図６に示すように、基板１０の表面側に突出する針２には、着脱自在に挿通され挿通時に針２を束ねて収束させて被覆する筒状の集束体３０が設けられている。この集束体３０は、樹脂パイプでストロー状に形成されている。集束体３０は、基板１０を被取付物に設置する前の流通，保管段階で針２に装着されている。
【００２７】
次に、本発明の実施の形態に係る鳥類忌避具の製造方法について詳細に説明する。
先ず、図３（ａ）に示すように、所定長さの弾性金属製線材Ｗの途中を折曲して一対の針２を形成してなる針体１を多数作成しておく。その後、この針体１の折曲部３側の基端部４を、針体１の長手方向に略直交させて折曲形成し、舌片状の舌片部５として構成する。
【００２８】
一方、基板１０は直方体のものが用意され、図３（ｂ）に示すように、この基板１０には、一対の針２を備えた複数（実施の形態では３つ）の針体１の当該針２が集合させられて挿通される複数（実施の形態では３つ）の挿通孔１１が形成される。その後、この挿通孔１１の周囲を、プレス加工などにより基板１０の表面側に膨出させ、基板１０の裏面側に針体１の舌片部５を収容する大きさの凹所１２を有した膨出部１３を形成する。また、基板１０には予めビス２５が挿通される取付孔２６を形成する。
【００２９】
次に、図４の工程図に示すように、予め作成しておいた針体１及び基板１０を用い、針体１を集合させて（実施の形態では３つの針体１の６本の針２を集合させて）、挿通孔１１に対して基板１０の裏側からであって複数の針体１の針２の先端側から挿通し（図４（ａ））、針体１の舌片部５を膨出部１３の凹所１２内に収容する（図４（ｂ））。この場合、挿通孔１１に針体１をその先端側から一対の針２を集合させて挿通するだけで、一時に針体１を基板１０に装着することができるので、従来に比較して作業が極めて簡単になり作業性が向上させられる。
【００３０】
それから、この舌片部５を膨出部１３の裏面に接着剤１４で止着する（図４（ｃ））。この場合、舌片部５を膨出部１３の裏面に接着剤１４で止着するだけで針体１を基板１０に固定できるので、この点でも作業が極めて簡単になり作業性が向上させられる。また、針体１の舌片部５は舌片状になっているので、膨出部１３の裏面に対する接合面積が大きくなっており、それだけ、接着剤１４により強固に固定されることになる。
【００３１】
その後、取付け手段としての両面粘着テープ２０を、基板１０の裏面に貼付する。この場合、両面粘着テープ２０の他方面２２に帯状シート２３が仮着された状態で、両面粘着テープ２０の一方面２１が基板１０の裏面に貼付される（図４（ｄ））。そして、最後に、集束体３０を、基板１０の表面側に突出する針２にこれらの針２を束ねて収束させて挿通して被覆する（図４（ｅ））。これにより、図５に示すような製品が完成する。
【００３２】
このようにして製造された鳥類忌避具Ｋによれば、本鳥類忌避具Ｋを被取付物に取り付ける前の流通段階や保管の際においては、集束体３０を針２に挿通して被覆しておく。そのため、針２が折れ曲がったり破損したりしにくくなり、取り扱いが容易になる。
また、この鳥類忌避具Ｋを設置するときは、図６に示すように、両面粘着テープ２０の帯状シート２３を剥離するとともに集束体３０を抜き取り、図１に示すように、建物等の被取付物に両面粘着テープ２０の他方面２２側を貼付する。この場合、予め、基板１０に取付け手段としての両面粘着テープ２０が備えられているので、取り付けが容易に行われる。また、両面粘着テープ２０なので、貼付により被取付物に取り付けることができることから、設置が容易であり、汎用性が向上させられる。更にまた、ビス２５を基板１０の取付孔２６にねじ込む。この場合、両面粘着テープ２０とビス２５とを併用するので取り付けが強固になり安定する。
【００３３】
また、この場合、針体１の舌片部５は膨出部１３の凹部に接着剤１４とともに収容されているので、基板１０の裏面から張り出すことがなく、そのため、基板１０の裏面が建物等の被取付物に対して良く密着し、その結果、設置を確実にして安定を図ることができる。更に、針体１の舌片部５は舌片状になっているので、膨出部１３の裏面に対する接合面積が大きくなっており、それだけ、接着剤１４により強固に固定されることになることから、この点でも、安定を図ることができる。更にまた、基板１０に複数の針体１が、所定間隔で突出することから、被取付物の形状や大きさに応じて設置を容易に行うことができる。
【００３４】
そして、この鳥類忌避具Ｋを取り付けた状態においては、鳩やカラス等の鳥類が飛来して針２に接触すると、針体１がその弾性力により不規則な動きをし、あるいはまた、針先による刺激を与えることから、鳥類が飛来して止まったり侵入して営巣することが防止される。この場合、基板１０が被取付物に強固に取り付けられ、針体１も基板１０に強固に取り付けられているので、鳥類の接触によって容易に離脱したり破損する事態が確実に防止され、安定が図られる。
【００３５】
また、基板１０に複数の針体１が、所定間隔で突出することから、忌避機能が向上させられる。更に、針体１は、１つの挿通孔１１に、複数挿通し（実施の形態では３つ）、各針体１の針２（実施の形態では６本）を挿通孔１１から放射状に突出させているので、それだけ、鳥類の忌避機能が向上させられる。
【００３６】
尚、上記の実施の形態においては、取付け手段を両面粘着テープ２０やビス２５で構成したが、必ずしもこれに限定されるものではなく、例えば、接着剤やクランパ等の別な手段で構成しても良く、また、これらを併用するようにして良く、適宜変更して差支えない。図７には取付け手段をビス２５のみにした例を示す。基板１０にはビスの取付孔２６が開設されている。
また、上記実施の形態においては、１つの基板１０に３つの挿通孔１１を設けて針体１の組を等間隔で３つ設けるようにしたが、必ずしもこれに限定されるものではなく、図７に示すように、針体１の組を１組にし、あるいは、２つ，４つ以上にして良く、また、その配列も、行列状にする等適宜に設定して良い。また、１つの挿通孔１１に挿通される針体１の数も、上記の３つに限定されるものではなく、１つ，２つあるいは４つ以上設けても良く、適宜変更して差支えない。
【符号の説明】
【００３７】
Ｋ  鳥類忌避具
Ｃ  被取付物
１  針体
Ｗ  線材
２  針
３  折曲部
４  基端部
５  舌片部
１０  基板
１１  挿通孔
１２  凹所
１３  膨出部
１４  接着剤
２０  両面粘着テープ（取付け手段）
２１  一方面
２２  他方面
２３  帯状シート
２５  ビス
２６  取付孔
３０  集束体
【図１】
2011024516.tif 000003
【図２】
2011024516.tif 000004
【図３】
2011024516.tif 000005
【図４】
2011024516.tif 000006
【図５】
2011024516.tif 000007
【図６】
2011024516.tif 000008
【図７】
2011024516.tif 000009
【図８】
2011024516.tif 000010